(57)【要約】      （修正有）【課題】飲み物と一緒にチョコレート、果物などを一緒に携行出来る携帯用ポットを提供する。【解決手段】上下方向に重ねて連結して携行する携帯用ポットであって、上端中央に飲み口を有する本体の上端周辺部に連結部Ａ４を有し、該本体の下部周辺部に連結部Ｂ５を有するとともに、該本体の連結部Ｂと他本体の連結部を互いに螺合可能な構造とする一方、上端中央に開口部を有する補助容器２の上端周辺部に連結部Ａを有し該補助容器Ａの下部周辺部に連結部Ｂを有し更に、上記本体の上部にキャップ３を取り付けるために該キャップの下端周辺に連結部Ｂを設けた。【選択図】図１
2016120257.tif 000002
【特許請求の範囲】
【請求項１】
上下方向に重ねて連結して携行する携帯用ポットであって、
上端中央に飲み口を有する本体の上端周辺部に連結部Ａを有し、該本体の下端周辺部に連結部Ｂを有するとともに、
該本体の連結部Ｂと他本体の連結部Ａを互いに螺合可能な構造とする一方、
上端中央に開口部を有する補助容器の上端周辺部に連結部Ａを有し該補助容器の下端周辺部に連結部Ｂを有し更に、
上記本体の上部にキャップを取り付けるために該キャップの下端周辺部に連結部Ｂを設けた携帯用ポット。
【請求項２】
上記キャップにおいて、
上端中央部に収納口を設けた小物入れ部を有するキャップとした
請求項１記載の携帯用ポット。
【発明の詳細な説明】
【技術分野】
【０００１】    本発明は外出する場合に携行する携帯用ポットに関し、詳しくは複数個の本体及び補助容器を上下方向に着脱可能に連結して携行する携帯用ポットに関する。
【背景技術】
【０００２】  従来の携帯用ポットは飲み物を入れて携行するだけのものであり、文献では２種類の飲み物を携行することが出来るものはあるが、チョコレートやチーズまた皮をむいた果物を２，３切れ等を入れるスペースは無かった。
このため散歩に出かける場合に携帯用ポットを持参して疲れたから飲む、のどが渇いたから飲むといった状態で散歩、外出が味気ないものであった。ここで持参した飲み物を飲みながらチョコ、チーズ、果物などを一口でも食べることができれば気持ちにゆとりが生まれ、散歩に味わいをもたせることが出来る。そのためにはチョコや果物小片等を別のバッグに入れて携行するか又はポケットに入れて持参する等の方法をとっていた。
【参考文献】
【文献１】
公開特許公報（Ａ）特開２０１２−２５４１４
携帯用保温・保冷２槽式ポット及びボトル
【文献２】
公開実用新案公報（Ｕ）昭６４−４９１２６
携帯用ポット
【文献３】
公開実用新案公報（Ｕ）平２−１３１９７５
に連容器
【文献４】
実用新案公報（Ｙ２）平１−３７５５４
二連式の携帯用ポット
【文献５】
公開実用新案公報（Ｕ）平２−９３２２７
連結容器
【文献６】
公開実用新案公報（Ｕ）昭６２−１５３９１６
携帯用ポット
【発明の概要】
【発明が解決しようとする課題】
【０００３】  上記のように従来の携帯用ポットは飲み物以外のものを入れるスペースが無かったので散歩など外出する際にチョコ、果物などを持参するためには別のバッグを持参したりしなければならず大変不便であった。【０００４】  本発明はこのような従来の不便な問題点を解決しようとするものであり、飲み物と一緒にチョコレート、果物などを一緒に携行出来る携帯用ポットを提供して散歩に味わいを持たせ、潤いをもたせることを目的としている。
【課題を解決するための手段】
【０００５】  そこでこの発明は、上下方向に重ねて連結して携行する携帯用ポットであって、上端中央に飲み口を有する本体の上端周辺部に連結部Ａを有し、該本体の下部周辺部に連結部Ｂを有するとともに、該本体の連結部Ｂと他本体の連結部Ａを互いに螺合可能な構造とする一方、上端中央に開口部を有する補助容器の上端周辺部に連結部Ａを有し該補助容器の下部周辺部に連結部Ｂを有し更に、上記本体の上部にキャップを取り付けるために該キャップの下端周辺に連結部Ｂを設けた携帯用ポットであることを特徴とする。【０００６】  また第２の課題解決手段は、上記キャップにおいて、上端中央部に収納口を設けた小物入れ部を有するキャップとした構成としたものである。【０００７】  上記第１の課題解決手段を講じたことにより携帯用ポットを携行する際に本体を２個又３個と連結し更に補助容器を一緒に連結して１本のポットとして携行することができるので補助容器の中にチョコレートやチーズ又は皮をむいた果物を２，３切れ等々を入れて持参することができる。このためチョコやチーズ又果物などを別のケースに入れて持参するという面倒なこともなくなり非常に便利である。【０００８】  又第２の課題解決手段を講じたことにより、小物入れ部に楊枝、折りたたみフォーク、コーヒー一杯分の小袋、紅茶やココアの小袋、ウエットテッシュ２，３枚等などを入れて持参することが出来る。
【発明の効果】
【０００９】  上述したように本発明は複数の飲み物と一緒にチョコ、チーズ、果物なども１本のポットで携行出来るため、散歩など外出する場合に大変便利である。又一杯分のコーヒー、紅茶、ココアなどの小袋を一緒に携行できるため、散歩の途中で持参した飲み物を飲み終えた後で湯または冷水を補給するだけで更に好みの飲み物を調合し携帯することができる。【００１０】  現代の風潮として大勢の人が万歩計をつけて１日１万歩を目標に歩くことが盛んになっているが、この時本案のポットを１本携行するだけで散歩が楽しくなり歩数を５００歩、１０００歩と普段より伸ばすことが出来るため、健康増進に大きく寄与することが出来るという大きな効果を発揮するものである。
【実施例】
【００１１】  この発明の実施例を以下図面によって説明する。図２はポットを上部より見た平面図であり図１及び図３は図２をＡ−Ａから見た断面図である。【００１２】  図１について説明すると本体１、１の間に補助容器２を連結部Ａ及び連結部Ｂによって連結したものであり、補助容器２を小容量としたものでありチョコやチーズなどを数個と少しの食材を携行するときに効率的で便利である。【００１３】  図３においては本体１の下部に補助容器２を連結したものであり、補助容器２の容量を本体１と同程度の大きさとしたものであり皮をむいたリンゴや梨などをラップで包んだ物をものを数個入れて携行する場合に便利である。【００１４】  上記のように、補助容器２において小容量のものと大容量のものを用意しておくことによりその時の条件に合ったものを使用することが出来て便利である。【００１５】  図１及び図３において本体１の上端にキャップ３を取り付けておく。そしてキャップ３の上端中央部に収納口を有する小物入れ部６を設けておくことにより、この中に楊枝、テッシュペーパーやウエットテッシュ数枚、コーヒー、紅茶、ココアの小包、塩や砂糖の小包等々を入れて持参することが出来るため散歩や外出がますます楽しいものとなる。
【図面の簡単な説明】
【００１６】
【図１】  図２をＡ−Ａより見た断面図
【図２】  本発明の上部より見た平面図
【図３】  図１における本体と補助容器の連結組み合わせを変更した場合の図１をＡ−Ａより見た断面図
【符号の説明】
【００１７】１  本体
２  補助容器
３  キャップ
４  連結部Ａ
５  連結部Ｂ
６  小物入れ部
７  小物入れ部ふた
【図１】
2016120257.tif 000003
【図２】
2016120257.tif 000004
【図３】
2016120257.tif 000005